(57)【要約】      （修正有）【課題】球受皿の貯留量を多くすると共に確実に遊技球を一列に整流して打球発射部へ供給することができる遊技機を提供する。【解決手段】球払出装置から払出される遊技球を貯留する貯留皿部３６を備え、該貯留皿部３６の遊技球を整流して打球発射部へ供給するようにした遊技機であって、貯留皿部３６の後側壁部７ａには球払出装置から払出される遊技球を該貯留皿部３６へ導き入れる導入口３７と、該貯留皿部３６の遊技球を打球発射部へ送り出す導出口３８が開設され、後側壁部７ａの後方側に位置して導出口３８から導出される遊技球を一列に整流して打球発射部へ供給する整流通路部４４を備えた。【選択図】図３
2009291376.tif 000002
【特許請求の範囲】
【請求項１】
球払出装置から払出される遊技球を貯留する貯留皿部を備え、該貯留皿部の遊技球を整流して打球発射部へ供給するようにした遊技機であって、
前記貯留皿部の後側壁部には前記球払出装置から払出される遊技球を該貯留皿部へ導き入れる導入口と、該貯留皿部の遊技球を前記打球発射部へ送り出す導出口が開設され、
前記後側壁部の後方側に位置して前記導出口から導出される遊技球を一列に整流して前記打球発射部へ供給する整流通路部を備えたことを特徴とする遊技機。
【請求項２】
前記整流通路部は、前記導出口を介して前記球貯留部と連続する上流側の通路幅を後方に拡幅して球貯留部を形成すると共に下流側に向かうに従って通路幅を漸次縮幅したことを特徴とする請求項１記載の遊技機。
【請求項３】
前記導入口の開口下縁から該導入口の下方の前記貯留皿部の底面までの高低差を遊技球の直径より大きい段差で形成したことを特徴とする請求項１又は２記載の遊技機。
【請求項４】
前記導出口の近傍に位置して前記貯留皿部内に該貯留皿部の遊技球を該導出口に誘導する誘導部を設けたことを特徴とする請求項１乃至３のいずれかに記載の遊技機。
【発明の詳細な説明】
【技術分野】
【０００１】
本発明は、遊技球を貯留する貯留皿部を備え、この貯留皿部の遊技球を整流して打球発射部へ供給するようにした遊技機に関する。
【背景技術】
【０００２】
従来、ぱちんこ遊技機において、球払出装置から払い出された遊技球は、遊技機の裏面側に設けられた球通路を通って遊技機前面側の球受皿に一時的に貯留され、球受皿から溢れた遊技球は、球受皿の下方に連通して設けられる余剰球皿に送り込まれて貯留される。そして、球受皿に貯留された遊技球は、打球発射部へ供給するために球受皿の貯留皿部内に突出して設けられた球崩し部により通路幅を下流に向かって徐々に絞り込む整流部により、遊技球を一列に整流して球出口から打球発射部へ供給するようにしている（例えば、特許文献１参照。）。
【０００３】
しかし、上記球受皿は、遊技球を整流する球崩し部が貯留皿部内に突出して設けられているため、球受皿に貯留される遊技球の貯留量がどうしても少なくなり、すぐに余剰球皿に溢れて貯留されることになる。しかも、整流時に球崩し部で球圧により球詰りが発生し易いため、球崩し部での球圧を小さくする必要があり、貯留皿部に一段状態で貯留するように、貯留皿部に遊技球が流入する導入口の開口下端とこの開口下方の貯留皿部の底面とを略同一の高さにしている。そのため、球受皿の遊技球がすぐに減少してしまい、遊技者は余剰球皿に溢れた遊技球を頻繁に上方の球受皿に移し換えて遊技をしなければならず、煩わしいものとなり遊技の興趣を損なう虞がある。
【０００４】
そこで、余剰球皿をなくして球受皿の後方に第二貯留部を設けて遊技機の貯留量を増やして、遊技球を球受皿に戻す煩わしさをなくすようにしたものが開示されている（例えば、特許文献２参照。）。
【０００５】
【特許文献１】特開２００３−３４００８５号公報
【特許文献２】特開２００７−１９００９２号公報
【発明の開示】
【発明が解決しようとする課題】
【０００６】
しかしながら、上記特許文献２の構成では、依然として球受皿内に球崩し部を設けて整流しているため、この球崩し部により遊技球の貯留量が制約されて球受皿の貯留量を増やすことができないという問題がある。しかも、貯留皿部内に多量の遊技球を貯留すると、整流の際に球圧が大きくなるため球崩し部で球詰りが発生しやすくなるという問題がある。また、貯留部内に整流部が設けられているため、整流部で一列に整流された遊技球の上に遊技球が積み重なることがあり、球出口付近で球詰りが発生して打球発射部へ供給できなくなるという問題がある。
【０００７】
そこで本発明は、貯留皿部の貯留量を多くすると共に貯留皿部の遊技球を確実に一列に整流して打球発射部へ供給することができる遊技機を提供することを目的とする。
【課題を解決するための手段】
【０００８】
上記目的を達成するために、本発明は、球払出装置から払出される遊技球を貯留する貯留皿部を備え、該貯留皿部の遊技球を整流して打球発射部へ供給するようにした遊技機であって、前記貯留皿部の後側壁部には前記球払出装置から払出される遊技球を該貯留皿部へ導き入れる導入口と、該貯留皿部の遊技球を前記打球発射部へ送り出す導出口が開設され、前記後側壁部の後方側に位置して前記導出口から導出される遊技球を一列に整流して前記打球発射部へ供給する整流通路部を備えたことを特徴とする。
【０００９】
また、前記整流通路部は、前記導出口を介して前記球貯留部と連続する上流側の通路幅を後方に拡幅して球貯留部を形成すると共に下流側に向かうに従って通路幅を漸次縮幅したことを特徴とする。
【００１０】
前記導入口の開口下縁から該導入口の下方の前記貯留皿部の底面までの高低差を遊技球の直径より大きい段差で形成したことを特徴とする。
【００１１】
また、前記導出口の近傍に位置して前記貯留皿部内に該貯留皿部の遊技球を該導出口に誘導する誘導部を設けたことを特徴とする。
【発明の効果】
【００１２】
本発明においては、球圧により球詰りが起き易い整流通路部を貯留皿部の後側壁部の後方側に位置して設けたので、貯留皿部内に遊技球を整流するための球崩し部を設ける必要がなく、後側壁部の前面側に位置する貯留皿部の貯留量を増大させることができる。しかも、貯留皿部に遊技球が多量に貯留しても貯留皿部での遊技球の流下方向と整流通路部での遊技球の流下方向が逆になり、球圧が分散されるため整流通路部への球圧の影響が少なく、球詰りを起こすことなく貯留皿部の遊技球を確実に一列に整流して打球発射部に供給することができる。また、貯留皿部内での球詰りを気にすることがないので、貯留皿部の形状等の設計変更が容易にでき、機種により球受皿のデザインを自由に変更することができる。
【００１３】
また、前記導入口の開口下縁から該導入口の下方の前記貯留皿部の底面までを遊技球の直径より大きい高低差を有する段差で形成することにより、貯留皿部の底面に遊技球が貯留されている状態で、導入口から流入する遊技球が底面に貯留されている遊技球の上に自然に積み重なるように供給されるので、貯留皿部に多段状態で貯留されることになり、貯留皿部に流入する遊技球が増大し貯留量を多くすることができる。
【発明を実施するための最良の形態】
【００１４】
以下に、この発明を実施するための最良の形態について図面を参照して説明する。図１は遊技機としてのぱちんこ遊技機の正面図、図２はぱちんこ遊技機の背面図である。ぱちんこ遊技機１は、図１及び図２に示すように、そのぱちんこ遊技機１の外郭を形成する額縁状の外枠２を備え、その外枠２の前面に一側を軸支手段を介して枢支して、その前面側に向かって片開き可能に内枠３が支持されている。内枠３には、ガイドレール４により遊技領域５ａが形成された遊技盤５が装着され、その下方に発射機構８が設けられている。また、内枠３の一側に遊技盤５の正面を覆う透明板を備えた前面枠６が開閉自在に設けられている。そして、その下方に前枠７が開閉自在に設けられ、その前面に遊技球を貯留し、貯留した遊技球を整流して発射機構８に遊技球を供給する球受皿９が設けられている。また、この球受皿９の右下側に遊技球の発射力を調節する発射ハンドル１０が設けられている。
【００１５】
なお、本明細書において、ぱちんこ遊技機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００１６】
内枠３は、図２に示すように合成樹脂により縦長方形状に形成されると共に中央に窓部１１が開設された枠状に形成され、窓部１１の背面上方には、補給経路（図示せず）から補給される遊技球を貯留する球タンク１２が設けられると共に、球タンク１２の下流側に遊技球を整列して流下する直線又は屈曲状の球誘導路１３が設けられる。そして、その下流に所定個数の遊技球を払出す球払出装置１４が設けられ、その下方には、球払出装置１４から払出された遊技球を球受皿９へ導く排出樋１５が設けられている。
【００１７】
発射機構８は、図４に示すように、ベース体１６に遊技球を遊技領域５ａに向けて案内する発射レール１７を備えると共に、後述する整流器１８により発射レール１７の打球発射部１９に１個ずつ導かれた遊技球を遊技領域５ａに打ち込む打球槌２０と、打球槌２０を往復動させる電気的駆動源としてのロータリーソレノイド２１とを備え、発射ハンドル１０の操作により遊技球を発射させる力を調整する可変抵抗器等の発射力調整手段を調節して、打球槌２０を駆動させて遊技球を遊技領域５ａに発射するようにしている。
【００１８】
また、ベース体１６の後面側は、ロータリーソレノイド２１やその制御基板が設けられる基板ケースとなっている。打球槌２０は基端部をロータリーソレノイド２１の回転軸２１ａに固定されており、該ロータリーソレノイド２１を起動すると打球槌２０がストッパー２２ａとストッパー２２ｂとの間を往復動する。
【００１９】
整流器１８は、図５に示すように、ケース体２３に揺動自在に軸支され遊技球を打球発射部１９に１個ずつ送り出す球送り部材２４と、通電によりこの球送り部材２４のヨークを吸着する電磁石２５とを備えている。球送り部材２４は、整流器１８内へ導かれた遊技球を受け止め打球発射部１９への流出を阻止する球止め部２６と揺動により球止め部２６に受け止められていた遊技球を受け入れ打球発射部１９に送り出す受入凹部２７とにより略Ｖ字状に形成されている。ぱちんこ遊技機１を正面視してケース体２３の右側壁には球受皿９からの遊技球を受け入れる球入口２８が開設され、後壁には打球発射部１９に遊技球を１個ずつ送り出す球出口２９が開設されている。そして、電磁石２５を励磁・消磁を繰り返すことにより球送り部材２４を揺動して、球止め部２６に受け止められた遊技球を受入凹部２７に受け入れて、球出口２９を通じて打球発射部１９へ遊技球を１個ずつ送り出すようになっている。また、最先の遊技球が球止め部２６に止められる待機部の底部には球抜き孔が開設されて球抜き通路３０と連通しており、常態では球抜き弁３１により閉塞されて、後述するカバー体３２に設けられる操作部３３を操作することによりリンク部材３４を介して球抜き孔を開閉するようになっている。なお、球入口２８及び球出口２９の開設箇所は、実施例に示した箇所に限定されるものではなく、打球発射部１９等の位置により、球入口２８は球送り部材２４の球止め部２６に遊技球を送り込む位置であればケース体２３の前後左右及び上壁のいずれに開設してもよく、球出口２９においてもケース体２３の前後左右及び下壁のいずれかに開設すればよい。
【００２０】
球受皿９は、図３及び図７に示すように、前枠７の板状部の前面側に膨出状に設けられる合成樹脂製の皿本体３５と、この皿本体３５を囲むように曲線的に膨出した形状の合成樹脂製のカバー体３２とを備え、皿本体３５と前枠７とにより遊技球を貯留する凹状の貯留皿部３６を構成している。つまり、前枠７の一部が貯留皿部３６の後側壁部７ａを構成している。貯留皿部３６（皿本体３５）は、図３に示すように平面視で左右に湾曲部を有した略左右対称形状をしており、貯留皿部３６の底面４９は、図６に示すように左右の一端側（実施例では左側）から他端側に向けて下り傾斜している。そして、後側壁部７ａには上流側に位置して排出樋１５と連通して、球払出装置１４から払出される遊技球を貯留皿部３６へ導き入れる導入口３７を開設し、下流側に貯留皿部３６の遊技球を打球発射部１９へ送り出す導出口３８を開設している。導入口３７及び導出口３８は横幅方向に遊技球が複数個（実施例では略３個分）同時に通過可能な大きさに開設しており、導出口３８は高さ方向にも大きく（遊技球略２個分）開口している。
【００２１】
そして、導入口３７は、図６及び図７に示すように開口下縁から導入口３７の下方（直下）の貯留皿部３６の底面４９まで段差４８を有して形成し、その高低差Ｄを遊技球の直径より大きくしている。そのため、貯留皿部３６の底面４９に遊技球が貯留された状態で、さらにその遊技球の上に導入口３７から流入する遊技球が自然に積み重なるように供給され、貯留皿部３６に遊技球が複数段で貯留されることになり、球受皿９に流入する遊技球が増大し貯留皿部３６の貯留量を多くすることになる。
【００２２】
また、導入口３７の下方には、図７仮想線に示すように導入口３７から落下してくる遊技球の衝突による衝撃音や跳ね返りによる外部への飛び出しなどを軽減するために、樹脂製の緩衝部材３９が設けられている。このとき、図７に示すように底面４９を後方から挟み込むように前面側に傾斜して設けられ、底面４９と緩衝部材３９とのの間に０．３ｍｍから０．７ｍｍ程度の隙間（好ましくは０．５ｍｍ程度）ができるように設けている。このため、導入口３７から落下した遊技球が緩衝部材３９に衝突し、その衝撃により緩衝部材３９がその隙間範囲内で自在に揺動するため、遊技球の衝突エネルギーが緩衝部材３９に吸収され、底面４９に衝突した遊技球がその反発によって跳ね上がるのを抑えることができる。なお、緩衝部材３９は、衝撃により破損しても交換できるように、着脱自在に設けられている。また、緩衝部材３９は、傾斜により導入口３７からの遊技球の流れを前方側に誘導すると共に、底面４９との段差により球圧方向が一定とならず球崩しの効果を奏する。なお、緩衝部材３９は、緩衝パットなどの敷物を敷設するようにしてもよい。
【００２３】
また、図３及び図６に示すように、貯留皿部３６の下流側底面４９に球抜き孔４０が設けられ、この球抜き孔４０にはカバー体３２に設けられる操作レバー４１を操作することにより開閉される開閉板４２が配設されている。また、球抜き孔４０は図６に示すように段差を介して設けられ、球抜き孔４０に開閉板４２を設けた状態で段差の上流側流下面，開閉板４２，段差の下流側流下面の順に低くなるように設定されている。このため、球抜き孔４０部（開閉板４２上）に遊技球が滞留することがなく、しかも遊技球が段差を通過する際に球圧を分散して遊技球の相互の圧接状態を壊して遊技球の流れをスムーズにすることができる。
【００２４】
また、導出口３８の近傍に位置して、後側壁部７ａ側から貯留皿部３６内に突出するように貯留皿部３６の遊技球を導出口３８に誘導する誘導部４３が形成されている。誘導部４３は、図３に示すように流下方向に沿って前方への突出長さが徐々に増大する形状に形成され、上面は図６及び図８に示すように上面に載った遊技球が導出口３８に向かわないように前方及び上流側（図上左側）に緩やかに下傾している。誘導部４３を設けることにより、貯留皿部３６の遊技球は誘導部４３と貯留皿部３６の湾曲周壁によって迂回するように導出口３８にスムーズに誘導される。
【００２５】
なお、誘導部４３に替えて図３鎖線に示すように、導出口３８近傍の貯留皿部３６の下流側湾曲壁に沿うように突出部５０を形成してもよい。この突出部５０は、湾曲壁から貯留皿部３６内に突出するように設けられ、底面４９との境界部に滑らかな凹曲面を形成している。そして、導入口３７から流入した遊技球が貯留皿部３６の前面周壁に沿って流下する際に、その突出部５０に干渉することにより導出口３８に向かう遊技球の流勢を減衰させて導出口３８に誘導するように作用する。なお、誘導部４３及び突出部５０は貯留皿部３６内に必ずしも設ける必要はなく、遊技球の自然流下により導出口３８から流出するようにすればよい。
【００２６】
また、後側壁部７ａの後方側に位置して、図３及び図８に示すように導出口３８から導出される遊技球を一列に整流して整流器１８を介して打球発射部１９へ供給する整流通路部４４が設けられている。言い換えれば、整流通路部４４が後側壁部７ａを介して前後方向に隣接して折り返すように形成されている。したがって、整流通路部４４での遊技球の流下方向と整流通路部４４での遊技球の流下方向が後側壁部７ａを介して逆になり、遊技球は後側壁部７ａを介してＵターンするように流下する。このため、整流通路部４４の球圧が緩和されることになる。また、整流通路部４４は、導出口３８と連通する上流側の通路幅を後方に湾曲状に拡幅（膨出）して球貯留部４６を形成し、下流側に向かうに従って通路幅を漸次縮幅する収斂部４５により、遊技球が一列で通過可能な幅に狭めて、その終端を整流器１８の球入口２８に連通させている。収斂部４５には、球貯留部４６の遊技球の球心を高さ方向にずらして、球圧を分散して一列に整流し易くする隆起部４７が周壁側に頂部を有して形成されている。なお、整流通路部４４の底部を球圧が分散して遊技球が整流し易いように段状に形成するようにしてもよい。また、実施例では後側壁部７ａが整流通路部４４の側壁部を構成している。
【００２７】
上記構成のぱちんこ遊技機１は、球払出装置１４から貸球又は賞球として払い出される遊技球が図７仮想線に示すように導入口３７から供給されると、遊技球は貯留皿部３６を流下して図３仮想線に示すように誘導部４３（突出部５０）と皿本体３５の湾曲壁に案内されて導出口３８から後側壁部７ａの後方に配設された球貯留部４６に流出する。また、遊技者が遊技球を貯留皿部３６内へ直接投入したり、台間球貸し機から貯留皿部３６に払出したりする場合も、同様に、遊技球は底面４９を転動して導出口３８から球貯留部４６に流出する。なお、貯留皿部３６の周壁に突出部５０を設けた場合には、周壁に沿うように流下した遊技球の流勢が突出部５０に干渉することにより弱められ、球貯留部４６に流出することになり、球貯留部４６における球圧も緩和されることになる。そして、球貯留部４６に流出した遊技球は、収斂部４５で一列に整流され球入口２８から整流器１８に供給される。このとき、遊技球が収斂部４５で整流される際に、隆起部４７によって整流される遊技球同士の球心位置が高さ方向にずれるため、球圧方向が通路の底壁に沿った方向（二次元方向）から底壁と交差する方向（三次元方向）に変わることになる。このため、収斂部４５で球詰りを起こすことなくスムーズに一列に整流することができる。そして、整流器１８に入った遊技球は、図５に示す仮想線のように球送り部材２４の球止め部２６で受け止められる。そして、遊技者が発射ハンドル１０を操作すると、発射機構８が発射動作し、それに伴って、球送り部材２４が動作して球止め部２６で受け止められた遊技球を１個ずつ受入凹部２７に受け入れて、所定のタイミングで打球発射部１９に供給し、打球槌２０の打撃により遊技球は遊技領域５ａに向けて発射される。
【００２８】
このように、球圧により球詰りが起き易い整流通路部４４を貯留皿部３６の後側壁部７ａの後方側に位置して設けたので、後側壁部７ａの前面側に位置する貯留皿部３６に遊技球が多量に貯留されても、貯留皿部３６での遊技球の流下方向と整流通路部４４での遊技球の流下方向が逆になり、球圧が分散されるため整流通路部４４への球圧の影響が少なく、球詰りを起こすことなく遊技球を確実に打球発射部１９に供給することができる。また、整流通路部４４を貯留皿部３６の後側壁部７ａの後方側に位置して設けることで、従来のように整流通路部４４で一列に整流された遊技球の上に貯留皿部３６の遊技球が直接積み重なることがないため、確実に一列状態で打球発射部１９に供給することができる。しかも、貯留皿部３６内に遊技球を一列に整流するための球崩し部を設ける必要がないため、貯留皿部３６の貯留量を増大させることができる。
【００２９】
なお、貯留皿部３６の後側壁部７ａは、少なくとも球貯留部４６及び整流通路部４４の側壁部に相当する部位を、例えば透光性を有する合成樹脂等で形成し、球貯留部４６及び整流通路部４４に貯留されている遊技球が遊技者から視認できるようにしてもよい。これにより、球貯留部４６及び整流通路部４４の遊技球の状態を遊技者が把握することができ、球詰り等のトラブルも簡単に対応することができる。さらに球貯留部４６及び整流通路部４４（特に上流部）を照射する発光体を設けるのがよく、遊技球が遊技者から視認し易くなる。なお、この発光体は発射ハンドル１０の操作時（遊技中）にのみ発光するように制御するのが好ましい。
【００３０】
また、実施例では球受皿９を、前枠７を介して前面枠６と別体で回動するように設けたが、前面枠６と一体的に回動するように設けるようにしてもよい。また、整流通路部４４は内枠３側に設けるようにしても前枠７側に設けるようにしてもよい。
【００３１】
また、上記実施例において、遊技機としてぱちんこ遊技機を例に説明したが、遊技球を遊技媒体として遊技する雀球遊技機，アレンジボール式遊技機等にも本発明を適用することができる。また、実施の形態に示した内容に限定されるものではなく、この発明の要旨を逸脱しない範囲で、種々の形態を実施し得るものである。
【図面の簡単な説明】
【００３２】
【図１】ぱちんこ遊技機の正面図である。
【図２】ぱちんこ遊技機の背面図である。
【図３】球受皿部の平面図である。
【図４】発射機構の正面図である。
【図５】整流通路部と整流器との関係を示す要部断面図である。
【図６】球受皿の要部正面断面図である。
【図７】球受皿の要部側断面図である。
【図８】球受皿の要部側断面図である。
【符号の説明】
【００３３】
１    ぱちんこ遊技機（遊技機）
７    前枠
７ａ  後側壁部
１４  球払出装置
１９  打球発射部
３６  貯留皿部
３７  導入口
３８  導出口
４３  誘導部
４４  整流通路部
４５  収斂部
４６  球貯留部
４８  段差
４９  底面
５０  突出部（誘導部）
Ｄ    高低差
【図１】
2009291376.tif 000003
【図２】
2009291376.tif 000004
【図３】
2009291376.tif 000005
【図４】
2009291376.tif 000006
【図５】
2009291376.tif 000007
【図６】
2009291376.tif 000008
【図７】
2009291376.tif 000009
【図８】
2009291376.tif 000010